(57)【要約】【課題】  従来からある仏壇の彫刻等の装飾を活かしつつ、仏壇の神々しさをより一層醸し出すことが可能な仏壇の提供。【解決手段】  仏像等の仏具を納める前面に開口部を有する箱状の箱体と、前記箱体の左右側面に配設される脚部とからなり、前記箱体の前面には、扉機構が設けられ、前記脚部は透明板状であり、前記箱体の下面が前記脚部下縁よりも上に位置することを特徴とする仏壇である。【選択図】  図１
2005185412.tif 000002
【特許請求の範囲】
【請求項１】
仏像等の仏具を納める前面に開口部を有する箱状の箱体と、
前記箱体の左右側面に配設される脚部とからなり、
前記箱体の前面には、扉機構が設けられ、
前記脚部は透明板状であり、
前記箱体の下面が前記脚部下縁よりも上に位置することを特徴とする仏壇。
【請求項２】
仏像等の仏具を納める箱体と、
前記箱体の上下面、左右両側面及び後面を囲う外殻体と、
前記外殻体の左右側面に配設される脚部とからなり、
前記箱体は前記外殻体内部を前後に移動可能とされ、
前記箱体の前面には、扉機構が設けられ、
前記脚部は透明板状であり、
前記外郭体の下面が前記脚部下縁よりも上に位置し、
前記脚部が前記箱体の前方に突出していることを特徴とする仏壇。
【請求項３】
前記扉機構が、一対の扉部からなり、
前記一対の扉部が、前記箱体前面の左右縁にそれぞれ配設されるヒンジによって、回動可能とされ、
前記脚部が前記箱体の前方に突出していることを特徴とする請求項１又は２記載の仏壇。
【請求項４】
前記扉機構が、一対の扉部からなり、
前記箱体内壁側上面及び／又は下面の左右には、箱体内部前後方向に延びるレールが配設され、
前記レール上には該レールに沿って移動可能な移動部材が配設され、
前記扉部が、前記移動部材とヒンジを介して回動可能に接続されるとともに、前記箱体内部に収納可能とされ、
前記脚部が前記箱体の前方に突出していることを特徴とする請求項１又は２記載の仏壇。
【請求項５】
前記扉部が、複数の扉片からなり、
前記扉片が、それぞれヒンジを介して接続され、回動可能とされることを特徴とする請求項３記載の仏壇。
【請求項６】
前記扉機構が巻き戸状に可撓に形成された巻き戸部と、
前記箱体の内壁側上面及び下面において、前記箱体前面及び両側面に繋がる略Ｕの字状の巻き戸レールとからなり、
前記巻き戸部が前記巻き戸レールに沿って移動可能とされることを特徴とする請求項１又は２記載の仏壇。
【請求項７】
前記扉機構が１枚の扉部であり、
前記扉部の下縁と前記箱体前面の下縁とがヒンジを介して接続され、
前記扉部が上下に回動可能とされ、
前記脚部が前記箱体の前方に突出していることを特徴とする請求項１又は２記載の仏壇。
【請求項８】
前記扉機構が１枚の扉部であり、
前記箱体の下面に前記扉部を収納可能な扉収納部が形成され、
前記扉収納部には、該扉収納部を移動するとともに、ヒンジを介して前記扉部と接続する移動部材が設けられ、
前記扉部が上下に回動可能となるとともに、前記扉収納部内を前後に移動可能であり、
前記脚部が前記箱体の前方に突出していることを特徴とする請求項１又は２記載の仏壇。
【請求項９】
前記扉機構が１枚の扉部であり、
前記扉部の上縁と前記箱体前面の上縁とがヒンジを介して接続され、
前記扉部が上下に回動可能とされ、
前記脚部が前記箱体の前方に突出していることを特徴とする請求項１又は２記載の仏壇。
【請求項１０】
前記脚部が可視光透過率９０％以上であることを特徴とする請求項１乃至９いずれかに記載の仏壇。
【請求項１１】
前記脚部が強化ガラスからなることを特徴とする請求項１乃至１０いずれかに記載の仏壇。
【発明の詳細な説明】
【技術分野】
【０００１】
本発明は仏壇に関し、仏壇を視覚的に浮上したように見せ、仏壇をより神々しく見せることを特徴とする仏壇に関する。
【背景技術】
【０００２】
仏壇は、古くから仏を安置する収納具として使われている。古来からの日本人の文化として、仏を敬い大切に扱うという伝統的習慣があり、これは今も尚続いている。この伝統的習慣により、日本人は仏を安置する仏壇を立派にし、仏を大切に扱うこととしている。仏壇を立派に見せるための伝統的手法としては、仏壇を大きくし、仏壇自身に威風感を醸し出させたり、仏壇の外壁面に彫刻等の装飾を施したり、仏壇の材質を高級なものとしたり、更には装飾に貴金属鍍金を用いたりするなどしていた。
【０００３】
しかしながら、近年の住宅事情により、大きな仏壇を収容する居住空間は得がたく、小さな仏壇であっても立派で且つ荘厳な雰囲気を醸し出すことのできる仏壇が望まれている。小さな仏壇で立派で且つ荘厳な雰囲気を醸し出すことのできる仏壇を得ようとすれば、自ずから、仏壇への装飾に重きを置く必要がある。しかしながら、仏壇に施す彫刻、貴金属鍍金等による装飾或いは仏壇の材質の高級化により仏壇を立派にしようとすれば多額の費用を要する。
【０００４】
上記の問題を解決する手段として、特許文献１に開示されるような仏壇が提案されている。
特許文献１には、仏壇の前面及び両側面を半透明部材で形成し、仏壇内部の本尊を確認できるようにすることで仏壇の神々しさを醸し出そうとする手段が開示されている。
しかしながら、このような手法によると、従来からある仏壇に施される彫刻等の装飾を仏壇前面や側面に施すことができず、かえって従来からある仏壇の利点を損なうことにもなる。
【０００５】
【特許文献１】特開２００１−２１１９９１号公報
【発明の開示】
【発明が解決しようとする課題】
【０００６】
本発明は上記実情を鑑みてなされたものであって、従来からある仏壇の彫刻等の装飾を活かしつつ、仏壇の神々しさをより一層醸し出すことが可能な仏壇を提供することを目的とする。
【課題を解決するための手段】
【０００７】
請求項１記載の発明は、仏像等の仏具を納める前面に開口部を有する箱状の箱体と、前記箱体の左右側面に配設される脚部とからなり、前記箱体の前面には、扉機構が設けられ、前記脚部は透明板状であり、前記箱体の下面が前記脚部下縁よりも上に位置することを特徴とする仏壇である。
請求項２記載の発明は、仏像等の仏具を納める箱体と、前記箱体の上下面、左右両側面及び後面を囲う外殻体と、前記外殻体の左右側面に配設される脚部とからなり、前記箱体は前記外殻体内部を前後に移動可能とされ、前記箱体の前面には、扉機構が設けられ、前記脚部は透明板状であり、前記外郭体の下面が前記脚部下縁よりも上に位置し、前記脚部が前記箱体の前方に突出していることを特徴とする仏壇である。
【０００８】
請求項３記載の発明は、前記扉機構が、一対の扉部からなり、前記一対の扉部が、前記箱体前面の左右縁にそれぞれ配設されるヒンジによって、回動可能とされ、前記脚部が前記箱体の前方に突出していることを特徴とする請求項１又は２記載の仏壇である。
請求項４記載の発明は、前記扉機構が、一対の扉部からなり、前記箱体内壁側上面及び／又は下面の左右には、箱体内部前後方向に延びるレールが配設され、前記レール上には該レールに沿って移動可能な移動部材が配設され、前記扉部が、前記移動部材とヒンジを介して回動可能に接続されるとともに、前記箱体内部に収納可能とされ、前記脚部が前記箱体の前方に突出していることを特徴とする請求項１又は２記載の仏壇である。
請求項５記載の発明は、前記扉部が、複数の扉片からなり、前記扉片が、それぞれヒンジを介して接続され、回動可能とされることを特徴とする請求項３記載の仏壇である。
請求項６記載の発明は、前記扉機構が巻き戸状に可撓に形成された巻き戸部と、前記箱体の内壁側上面及び下面において、前記箱体前面及び両側面に繋がる略Ｕの字状の巻き戸レールとからなり、前記巻き戸部が前記巻き戸レールに沿って移動可能とされることを特徴とする請求項１又は２記載の仏壇である。
請求項７記載の発明は、前記扉機構が１枚の扉部であり、前記扉部の下縁と前記箱体前面の下縁とがヒンジを介して接続され、前記扉部が上下に回動可能とされ、前記脚部が前記箱体の前方に突出していることを特徴とする請求項１又は２記載の仏壇である。
請求項８記載の発明は、前記扉機構が１枚の扉部であり、前記箱体の下面に前記扉部を収納可能な扉収納部が形成され、前記扉収納部には、該扉収納部を移動するとともに、ヒンジを介して前記扉部と接続する移動部材が設けられ、前記扉部が上下に回動可能となるとともに、前記扉収納部内を前後に移動可能であり、前記脚部が前記箱体の前方に突出していることを特徴とする請求項１又は２記載の仏壇である。
請求項９記載の発明は、前記扉機構が１枚の扉部であり、前記扉部の上縁と前記箱体前面の上縁とがヒンジを介して接続され、前記扉部が上下に回動可能とされ、前記脚部が前記箱体の前方に突出していることを特徴とする請求項１又は２記載の仏壇である。
【０００９】
請求項１０記載の発明は、前記脚部が可視光透過率９０％以上であることを特徴とする請求項１乃至９いずれかに記載の仏壇である。
請求項１１記載の発明は、前記脚部が強化ガラスからなることを特徴とする請求項１乃至１０いずれかに記載の仏壇である。
【発明の効果】
【００１０】
請求項１記載の発明によれば、仏壇が透明な脚部によって部屋の床から浮いたように配置されることとなるので、仏壇が浮いたように視認され、仏壇の神々しさが増す。また、脚部が備えられる仏壇側面に彫刻等の装飾を施しても、該装飾が脚部によって遮られることなく視認され、仏壇の従来から持つ荘厳さを醸し出すための手段を損なうことがない。
請求項２記載の発明によれば、仏具が収納された箱体を前後に移動させることができ、箱体前方に突出する脚部に邪魔されることなく、仏具の収納及び整理の作業をすることができる。また、箱体が前方へ移動したときの仏壇の重心の前方への移動による仏壇の転倒の危険性を、箱体前方に突出する脚部によって低減することができる。
【００１１】
請求項３記載の発明によれば、扉機構が一対の扉部により開き戸状に形成されることによって、該扉部開放時に仏壇の重心位置が前方に移ることになるが、脚部が箱体前方に突出しているため仏壇が前方に倒れることがない。
請求項４記載の発明によれば、扉部が箱体内部に収納可能となるので、扉部が仏具の収納・取り出し・整理等の作業を邪魔することがない。したがって、これら作業が容易に行うことができる。
請求項５記載の発明によれば、扉部が複数の扉片からなり、該扉片がヒンジを介してそれぞれ回動可能とされるので、扉部を前方に突出した脚部に沿って折り曲げることができ、仏具の収納や仏壇内部の仏具の整理等の作業が容易になる。
請求項６記載の発明によれば、扉機構が巻き戸部と箱体内部に配設される巻き戸レールとからなるので、扉機構が開放時に仏壇前方に突出することがなく、仏壇の重心位置が前方に移動しない。したがって、脚部を箱体前方に突出させなくとも、仏壇の安定した載置を得ることができる。また、脚部を箱体前方に突出させないことによって、仏壇が載置された居住空間において、脚部に身体をぶつける危険性を低減させることができる。
請求項７及び９記載の発明によれば、扉部が上下方向に回動するので、箱体前方に突出する脚部に邪魔されることなく扉部を開放状態にすることができる。また、扉部が開放状態のとき、仏壇の重心位置は前方に移動するが、前方に突出した脚部により、仏壇が前方に転倒することがない。
請求項８記載の発明によれば、仏具を載置するための棚段として扉部を利用することができる。また、扉部が開放状態の時の仏壇の前方への転倒の危険性を、箱体前方に突出する脚部によって低減することができる。
【００１２】
請求項１０記載の発明によれば、脚部が可視光透過率９０％以上であり、非常に透明度が高いので、脚部の存在がほとんど視認されない。したがって、仏壇が現実に浮いたように視認されやすくなる。
請求項１１記載の発明によれば、脚部が強化ガラスからなるので、割れやひびを生じにくく安全である。また傷が付きにくく透明度を長期間にわたって維持することができる。更には、比較的重い重量であるので、箱体が上方に持ち上げられても、仏壇の重心位置を下方に位置させることができ、仏壇の安定性を増すことができ、転倒の危険性が低減される。
【発明を実施するための最良の形態】
【００１３】
以下、本発明に係る仏壇の実施形態について、図を参照しつつ説明する。尚、以下複数の実施形態を示すが、これら実施形態に示す仏壇は、共通して、仏像等の仏具を納める箱体と、前記箱体の左右側面に配設される透明平板状の脚部とを有し、前記箱体の前面には、扉機構が設けられ、前記箱体の下面が前記脚部下縁よりも上に位置することを特徴としている。
図１に第１の実施形態を示す。図１（ａ）は第１の実施形態の仏壇の扉機構を閉じた状態を示し、図１（ｂ）は扉機構を開いた状態を示す。
第１の実施形態に係る仏壇（１）は、仏像等の仏具を納める前面に開口部を有する箱体（２）を有する。箱体（２）の左右側面には一対の脚部（３）が配設される。脚部（３）は所定の手段で箱体（２）の側面上に固定される。尚、図示例では、ビス（３１）によって固定されているが、これに限られるものではなく、適宜仏壇（１）のデザインに適合した固定手段が採用される。
また箱体（２）の前面には扉機構（４）が設けられる。扉機構（４）により、箱体（２）前方を開閉自在とし、仏具の収納・取り出し・整理などの作業を可能とする。
【００１４】
図１に示す例において、脚部（３）は透明な矩形平板状をしている。箱体（２）の下面（２１）は脚部（３）の下縁（３２）よりも上方に位置している。したがって、仏壇（１）を床面上に載置したとき、箱体（２）は脚部（３）に支えられ、床面より上に位置することとなる。脚部（３）が透明であるので、脚部（３）自身は視認されにくく、仏壇（１）を見る者に対して、あたかも仏壇が床面上に浮いているような印象を与える。したがって、仏壇（１）の醸し出す神秘性、畏怖性などの神々しさを増すことができる。
また、脚部（３）を通じて箱体（２）の側面に施される彫刻等の装飾を視認することが可能となるので、従来手法の装飾技術を活かすことができる。
尚、脚部（３）は強化ガラス板やアクリル樹脂からなるアクリル板から形成されてもよい。
強化ガラスを用いると、脚部（３）に割れやひびを生じにくく安全である。また脚部（３）に傷が付きにくく透明度を長期間にわたって維持することができる。更には、強化ガラスが比較的重い重量であるので、箱体（２）が上方に持ち上げられても、仏壇（１）の重心位置を下方に位置させることができ、仏壇（１）の安定性を増すことができ、転倒の危険性が低減される。
アクリル樹脂を用いると、脚部（３）に割れやひび等が生じにくくなり、仏壇（１）の安全性を増すことができる。またアクリル樹脂からなる脚部（３）が割れたとしても、その破片によって怪我をする危険性は、ガラス製の脚部（３）と較べて低いものとなる。
脚部（３）の視認性を低減させるために、脚部（３）には可視光透過率８０％以上のものが用いられることが好ましい。更に好ましくは、可視光透過率９０％以上のものが用いられることが好ましい。可視光透過率が９０％以上であれば、脚部（３）の存在はほとんど視認されないためである。また、視認性を低下させるために、脚部（３）表面全体にバフがけなどの表面処理が好適に適用される。
【００１５】
第１の実施形態に係る仏壇（１）の扉機構（４）は、箱体（２）の前面左右一対に配設される矩形の扉部（４１）からなる。扉部（４１）は箱体（２）前面左右縁に配設されるヒンジ（５）を介して箱体（２）に回動可能に固定される。したがって、第１の実施形態に係る仏壇（１）は観音開きの扉機構（４）を有するものとなる。尚、図示例において、ヒンジ（５）は仏壇（１）前面から視認可能な位置に配設されているが、扉部（４１）側面と箱体（２）内壁を接続するようにヒンジ（５）を配設し、ヒンジ（５）を仏壇（１）の前面から不可視の状態にしてもよい。
扉部（４１）には、扉部（４１）を開閉自在とするための取っ手部（４２）が設けられる。図示例において、取っ手部（４２）は箱体（２）中心部上下方向に延びているが、これに限られるものではなく、仏壇（１）のデザインに合った取っ手部（４２）の意匠が適宜採用される。
【００１６】
上記構造の扉機構（４）を開放状態にすると、図１（ｂ）に示すような状態になる。この状態において、扉部（４１）は箱体（２）前方に突出するので仏壇（１）の重心位置は前方へ移動することとなる。箱体（２）は床面から浮いた状態であり、通常の仏壇（１）の載置状態よりは、不安定な状態で載置されることとなり、仏壇（１）は前方に倒れやすくなる。
このような仏壇（１）の前方への転倒を防止するために、第１の実施形態においては、脚部（３）を箱体（２）前面に対して突出させている。尚、この突出量は、扉部（４１）の大きさや重量によって適宜定めればよい。また、扉部（４１）が軽量である場合には、仏壇（１）の重心位置の前方への移動は無視できるので、箱体（２）前面と脚部（３）が面一の状態に置かれてもよい。
尚、図示例においては、箱体（２）の後面に対しても、脚部（３）を突出させて仏壇（１）の載置状態の安定性を増しているが、脚部（３）と箱体（２）の後面とを面一の状態としてもよい。
更に図示例において、箱体（２）上面に対して、脚部（３）が突出している。このように脚部（３）を突出させることにより、箱体（２）上面に置かれた仏具等の落下を防ぐことができる。また、脚部（３）を通して箱体（２）上面に載置された仏具などを視認することも可能となり、仏壇（１）の仏具等による装飾効果を高めることができる。
【００１７】
図２に第１の実施形態の変更例を示す。図２（ａ）は第１の実施形態の一の変更例を示し、図２（ｂ）は第１の実施形態の他の変更例を示す。
図２（ａ）に示す変更例は上記第１の実施例の扉機構（４）に変更を加えたものであって、扉機構（４）以外の構造は上記構造と同様である。
図２（ａ）に示す例において、箱体（２）内壁側上面及び／又は下面の左右にはレール（６）が配設されている。レール（６）は箱体（２）内部前後方向に延びている。更にレール（６）に沿って移動可能な移動部材（６１）が配設される。
【００１８】
扉機構（４）は、第１の実施形態に係る仏壇（１）と同様に箱体（２）の前面左右一対に配設される矩形の扉部（４１）からなる。扉部（４１）は移動部材（６１）にヒンジ（５）を介して取付けられる。
このような構造において、扉部（４１）は仏壇（１）に対して回動可能に取付けられるとともに、仏壇（１）の前後方向（奥行き方向）に移動可能となる。即ち、扉部（４１）は、箱体（２）前面において閉じた状態から、ヒンジ（５）を軸に回動する。そして、扉部（４１）が箱体（２）前面に対して直角に突出した位置に達する。その後、扉部（４１）を箱体（２）に向かって押すと、扉部（４１）は移動部材（６１）とともにレール（６）に沿って箱体（２）内部に向かって移動し、箱体（２）内部に収納されることとなる。
このような構造にすると、扉部（４１）が箱体（２）内部に収納されるので、仏壇（１）に仏具等を収納したり、取り出したり、整理する際に扉部（４１）がそのような作業の邪魔をすることがなくなる。
【００１９】
図２（ｂ）に示す変更例は、図１に示す第１の実施形態の扉部（４１）を改良したものである。扉部（４１）の構造以外は図１に示す実施形態に係る仏壇（１）と同様である。
図２（ｂ）に示す変更例において、箱体（２）の左右に配設される扉部（４１）はそれぞれ一対の扉片（４１１）からなる。扉片（４１１）同士はヒンジ（５１）を介して接続されている。
この変更例において、箱体（２）と接続する側の扉片（４１１）の幅は、脚部（３）の箱体（２）の前面からの突出長さよりも長く形成されている。また箱体（２）と接続する側の扉片（４１１）に接続する側の扉片（４１１）はヒンジ（５１）を介して、箱体（２）の外方に折れ曲がるようにされる。
上記構造の扉機構（４）を採用すると、扉部（４１）は箱体（２）の前面において、箱体（２）に取り付けられた脚部（３）に邪魔されることなく大きく開くことができる。したがって仏具等の収納・取り出し・整理等の作業が行いやすくなる。
尚、扉部（４１）を構成する扉片（４１１）の数は２枚に限られるものではない。２枚以上の扉片（４１１）から扉部（４１）を構成して、扉部（４１）を脚部（３）に邪魔されないように、箱体（２）外方へ折り曲げ可能としてもよい。
【００２０】
図３に第２の実施形態を示す。第２の実施形態に係る仏壇（１）は、第１の実施形態に係る仏壇（１）と異なる扉機構（４）を有するが、他の構造は第１の実施形態に示すものと同様である。
第２の実施形態に係る仏壇（１）の扉機構（４）は、箱体（２）前面左右一対に配設されるとともに可撓に形成された巻き戸部（４３）を有する。また、箱体（２）内壁側上面及び下面に、箱体（２）前面及び両側面に沿って繋がる略Ｕ字状に形成された巻き戸レール（６２）を有する。巻き戸部（４３）は、巻き戸レール（６２）に沿って移動可能とされる。
上記構造において、巻き戸部（４３）は仏壇（１）開放時に箱体（２）内部に収納されることとなる。また仏壇（１）開閉時を通じて巻き戸部（４３）が箱体（２）前方に突出することがない。したがって、第１の実施形態のように、仏壇（１）の重心位置が前方に移動することがない。
図示例において、脚部（３）は箱体（２）前方に突出し、仏壇（１）の載置の安定性を増すようにされているが、上述のように仏壇（１）の重心位置の前方への移動がないため、仏壇（１）の前方への転倒の危険性が少ないため、脚部（３）と箱体（２）前面とを面一の状態としてもよい。脚部（３）と箱体（２）の前面が面一の状態となると、仏壇（１）の付近を歩く人間が、箱体（２）前方に突出した脚部に躓くなどの危険性を低減することができる。
【００２１】
図４に第３の実施形態を示す。第３の実施形態に係る仏壇（１）は、第１の実施形態に係る仏壇（１）と異なる扉機構（４）を有するが、他の構造は第１の実施形態に示すものと同様である。
第３の実施形態に係る仏壇（１）は１枚の矩形平板状の扉部（４４）を有する。扉部（４４）は箱体（２）の前面下縁とヒンジ（５）を介して接続している。この構造により、扉部（４４）は、箱体（２）前面下縁のヒンジ（５）を軸として上下に回動する。尚、この実施形態において、扉部（４４）を下方に回動させたときに扉部（４４）を支持するための支持体（７）が、箱体（２）内部側面と扉部（４４）内壁面とを接続している。支持体（７）は、取り付け位置により適宜長さを調節された紐体からなるものであってもよいし、一対の棒状体を軸支することにより、屈折可能に接続したリンク機構を有するものであってもよい。
【００２２】
このような構造とすると、扉部（４４）を下方に回動させ、仏壇（１）を開状態としたときに、扉部（４４）上に仏具等を載置することができる。また、この状態で扉部（４４）が箱体（２）前面に対して脚部（３）よりも更に突出し、扉部（４４）が従来からある視認されやすい木材からなるならば、仏壇（１）の前端位置が認識されやすくなるので、仏壇（１）付近にいる人が仏壇（１）に躓く等の危険性が低減される。
【００２３】
図５に第３の実施形態に係る仏壇（１）の変更例を示す。図５（ａ）は第３の実施形態に係る仏壇（１）の変更例の斜視図であり、図５（ｂ）は図５（ａ）に示す仏壇（１）の正面図であり、扉機構（４）を取り除いた状態を示す。
この変更例に係る仏壇（１）は、扉部（４４）が箱体（２）の下縁を軸に上下に回動する点で共通するが、扉部（４４）の取り付け構造が異なる。尚、その他の仏壇（１）の構造については、図４に示す第３の実施形態に係る仏壇（１）と同様である。
【００２４】
この変更例に係る箱体（２）の下面（２１）より若干上方に中間板（８）が配設される。中間板（８）は箱体（２）を左右水平に横切り、中間板（８）と箱体（２）の下面（２１）との間に、断面矩形の空間である扉収納部（２２）を形成する。この扉収納部（２２）の高さは扉部（４４）を収納するために、扉部（４４）の厚さより高く形成される。
【００２５】
扉収納部（２２）には、平板形状の移動部材（６１）が配設される。移動部材（６１）は扉収納部（２２）内を前後に摺動移動する。
一枚の矩形平板状の扉部（４４）は移動部材（６１）の前面端にヒンジ（５）を介して接続される。このような構造において扉部（４４）は移動部材（６１）の前面端を軸にして、上下に回動する。
【００２６】
仏壇（１）を閉じるときには、移動部材（６１）前面端を箱体（２）前面に合うように移動部材（６１）を扉収納部（２２）内で移動させる。この状態で扉部（４４）を上方向に回動させると扉部（４４）は箱体（２）前面を覆い、仏壇（１）は閉じた状態となる。
仏壇（１）を開くときには、扉部（４４）を下方へ回動させればよい。尚、この変更例において、扉部（４４）が完全に下方に下がり、箱体（２）前面に直角に突出した状態において、扉部（４４）及び移動部材（６１）は扉収納部（２２）内を移動可能となる。したがって、扉部（４４）の箱体（２）前面に対する突出量を調整可能となる。即ち、扉部（４４）の突出量を下げようとすれば、扉部（４４）及び移動部材（６１）を扉収納部（２２）内へ押し込めばよいし、扉部（４４）の突出量を上げようとすれば、扉収納部（２２）から扉部（４４）及び移動部材（６１）を引出せばよい。これにより、仏壇（１）が開放状態のときに、扉部（４４）を、仏具等を載置するための棚段として利用する場合に、棚段の大きさを可変とすることができる。
尚、この構造において、扉収納部（２２）及び移動部材（６１）や扉部（４４）にレール等の手段を施して、移動部材（６１）及び扉部（４４）の扉収納部（２２）内の移動を円滑にしてもよい。
【００２７】
図６に第３の実施形態に係る仏壇（１）の更なる変更例を示す。図６に示す実施例は、第３の実施形態に係る仏壇（１）と略同一の構成を有するが、ヒンジ（５）の取付位置が異なる。
図６に示す変更例において、ヒンジ（５）は箱体（２）の前面上縁に配置される。そして、扉部（４４）は箱体（２）前面上縁を軸として上下に回動する。
上記第３の実施形態及びその変更例に係る仏壇（１）は、扉部（４４）が上下方向に回動するので、箱体（２）両側面に配置される脚部（３）に邪魔されることなく、仏壇（１）を開状態にすることができる。したがって、仏具等の収納・取り出し・整理等の作業が容易に行うことができる。
【００２８】
図７に第４の実施形態に係る仏壇（１）を示す。
第４の実施形態に係る仏壇（１）は、上記第１から第３の実施形態に示す仏壇（１）と同様に、仏像等の仏具を納めるための箱体（２）を有する。また、箱体（２）の前面には扉機構（４）が設けられる。ここで、扉機構（４）は上記で示したいずれの扉機構（４）が採用されてもよい。
第４の実施形態に係る仏壇（１）は箱体（２）の左右両側面、上下面及び後面を覆う箱状の外殻体（９）を有する。箱体（２）は外殻体（９）前面の開口部から挿入され、外殻体（９）内部を前後に移動可能とされる。該移動を円滑にするために、外殻体（９）内壁面にレール等の手段を設けてもよい。
外殻体（９）の両側面には、透明な矩形平板状の脚部（３）が配設される。脚部（３）の下縁（３２）は外殻体（９）の下面よりも下方に位置している。したがって、外殻体（９）及び仏具を収容する箱体（２）は床面から浮き上がったように視認される。
また上述したように箱体（２）が外殻体（９）内部を前後に移動するので、この移動に伴って仏壇（１）の重心位置が前後する。この重心位置の変動に起因する仏壇（１）の転倒を防ぐために、脚部（３）は外殻体（９）の前面から突出している。
上記構造の仏壇（１）は箱体（２）自体が前後に移動可能であるので、仏具を収納・取り出し・整理するときには、箱体（２）を外殻体（９）前面側へ引き出すことができるので、上記作業の際、脚部（３）が邪魔になることがない。
【００２９】
上述したいずれの仏壇（１）において、透明な矩形平板状の脚部（３）を用いてきたが、脚部（３）の形状は適宜変更可能である。例えば、脚部（３）の前縁を後縁より厚く若しくは薄く形成し、脚部（３）側面に斜面を形成すると、透明な脚部（３）に入射した光が三角プリズムの分光作用によって分光され、仏壇（１）の周囲に７色の光の投射がなされることになる。この効果により、仏壇（１）の神秘性・畏怖性を高めることができる。この効果は、脚部（３）の上縁を下縁より厚く若しくは薄く形成することによっても得られる。
或いは脚部（３）の箱体（２）或いは外殻体（９）との当接面に適宜彫刻を施してもよい。透明な脚部に施された彫刻によって、仏壇（１）側面に透かし彫り状の彫刻が形成され、また彫刻による凹凸面に脚部（３）に入射した光が乱反射し、斬新な意匠を仏壇（１）に施すことも可能となる。
【産業上の利用可能性】
【００３０】
本発明は、従来からある仏壇の彫刻等の装飾を活かしつつ、仏壇の神々しさをより一層醸し出すことが可能な仏壇に好適に適用される。
【図面の簡単な説明】
【００３１】
【図１】本発明に係る仏壇の第１の実施形態を示す図である。（ａ）は第１の実施形態の仏壇の扉機構を閉じた状態を示し、（ｂ）は扉機構を開いた状態を示す。
【図２】本発明に係る仏壇の第１の実施形態の変更例を示す図である。（ａ）は第１の実施形態の一の変更例を示し、（ｂ）は第１の実施形態の他の変更例を示す。
【図３】本発明に係る仏壇の第２の実施形態を示す図である。
【図４】本発明に係る仏壇の第３の実施形態を示す図である。
【図５】本発明に係る仏壇の第３の実施形態の変更例を示す図である。（ａ）は第３の実施形態に係る仏壇の変更例の斜視図であり、（ｂ）は（ａ）に示す仏壇の正面図であり、扉機構を取り除いた状態を示す。
【図６】本発明に係る仏壇の第３の実施形態の更なる変更例を示す図である。
【図７】本発明に係る仏壇の第４の実施形態を示す図である。
【符号の説明】
【００３２】
１・・・・・・・仏壇
２・・・・・・・箱体
３・・・・・・・脚部
３２・・・・・・下縁
４・・・・・・・扉機構
４１、４４・・・扉部
４１１・・・・・扉片
４３・・・・・・巻き戸部
５・・・・・・・ヒンジ
６・・・・・・・レール
６１・・・・・・移動部材
６２・・・・・・巻き戸レール
９・・・・・・・外殻体
【図１】
2005185412.tif 000003
【図２】
2005185412.tif 000004
【図３】
2005185412.tif 000005
【図４】
2005185412.tif 000006
【図５】
2005185412.tif 000007
【図６】
2005185412.tif 000008
【図７】
2005185412.tif 000009